【手続補正書】
【提出日】平成26年12月8日(2014.12.8)
【手続補正１】
【補正対象書類名】明細書
【補正対象項目名】０１２４
【補正方法】変更
【補正の内容】
【０１２４】
グリースEおよびIは、市販グリースA程度の低い摩擦係数を有するという付加的利点を有する。
なお、本発明は、実施の態様として以下の内容を含む。
〔態様１〕
下記を含んで成るグリース組成物：
（a）単独のまたは混合物としての、1つまたはいくつかの鉱物または合成基油；
（b）増粘剤としての、1つまたはいくつかの単純または複合脂肪酸金属石鹸；
（c）少なくとも1つのモリブデンジチオカルバメート；及び
（d）グラファイト。
〔態様２〕
態様1において、モリブデン含有量が1,000〜2,800ppm（好ましくは1,500〜2,500ppm、好ましくは1,700〜2,300ppm、好ましくは2,000〜2,200ppm）であるグリース組成物。
〔態様３〕
態様1〜2のいずれか１態様において、0.5〜3.0質量%（好ましくは0.7〜2.0質量%）のグラファイトを含んで成るグリース組成物。
〔態様４〕
態様1〜3のいずれか１態様において、前記組成物中のモリブデン含有量（ppm）とグラファイトの質量パーセントとのMo／[グラファイト]比が1,250〜1,550（好ましくは1,300〜1,500）であるグリース組成物。
〔態様５〕
態様1〜4のいずれか１態様において、リンを、1,500ppm未満（好ましくは1,200ppm未満）の含有量で含んで成るグリース組成物。
〔態様６〕
態様1〜5のいずれか１態様において、亜鉛を、1,500ppm未満の含有量で含んで成るグリース組成物。
〔態様７〕
態様1〜6のいずれか１態様において、MoS2固体潤滑剤を含有しないグリース組成物。
〔態様８〕
態様1〜7のいずれか１態様において、ポリテトラフルオロエチレン固体潤滑剤を含有しないグリース組成物。
〔態様９〕
態様1〜8のいずれか１態様において、1つまたはいくつかの単純または複合脂肪酸金属石鹸だけを、増粘剤として含んで成るグリース組成物。
〔態様１０〕
態様1〜9のいずれか１態様において、単独のまたは混合物としての、少なくとも1つのリチウム、ナトリウム、カルシウム、バリウムまたはチタンの単純または複合石鹸を、増粘剤として含んで成るグリース組成物。
〔態様１１〕
態様1〜10のいずれか１態様において、1つまたはいくつかの単純または複合リチウム石鹸を、増粘剤として含んで成るグリース組成物。
〔態様１２〕
態様1〜11のいずれか１態様において、鉱物基油（a）、および合成基油（a）（好ましくはポリアルファオレフィンから選択される合成基油）を含んで成るグリース組成物。
〔態様１３〕
態様1〜12のいずれか１態様において、ポリイソブテン、オレフィンコポリマー、ポリメタクリレート、ポリアルファオレフィンから選択されるポリマー（e）（好ましくはポリイソブテンから選択されるポリマー（e））をさらに含んで成るグリース組成物。
〔態様１４〕
態様1〜13のいずれか１態様において、リンおよび硫黄を含有する1つまたはいくつかの耐摩耗性および/または極圧添加剤（f）（であって、好ましくは亜鉛ジチオホスフェートから選択される添加剤）をさらに含んで成るグリース組成物。
〔態様１５〕
態様14において、リン含有量が、300〜1,200ppm（好ましくは400〜1,000ppm、好ましくは500〜900ppm）であるグリース組成物。
〔態様１６〕
態様14〜15のいずれか１態様において、亜鉛含有量が、500〜1,400ppm（好ましくは600〜1,300ppm、好ましくは800〜1,000ppm）であるグリース組成物。
〔態様１７〕
態様1〜16のいずれか１態様において、下記を含んで成るグリース組成物：
・70〜94%の基油(a)；
・5〜25%の増粘剤（b）；及び
・1〜5%のMoDTC（c）とグラファイト（d）との混合物。
〔態様１８〕
態様1〜4または7〜13のいずれか１態様において、下記を含んで成るグリース組成物：
・70〜94%の基油(a)；
・5〜25%の増粘剤（b）；
・1〜5%のMoDTC（c）とグラファイト（d）との混合物；及び
・ポリイソブテン、オレフィンコポリマー、ポリメタクリレート、ポリアルファオレフィンから選択される1つまたはいくつかのポリマー（e）（好ましくはポリイソブテンから選択される1つまたはいくつかのポリマー（e））から成る可能残部。
〔態様１９〕
態様14〜17のいずれか１態様において、下記を含んで成るグリース組成物：
・70〜93.9%の基油(a)；
・5〜23.5%の増粘剤（b）；
・1〜5%のMoDTC（c）とグラファイト（d）との混合物；及び
・0.1〜1.5%の、リンおよび硫黄を含有する1つまたはいくつかの耐摩耗性および/または極圧添加剤（f）（であって、好ましくは亜鉛ジチオホスフェート）から選択される添加剤。
〔態様２０〕
態様14〜17のいずれか１態様において、下記を含んで成るグリース組成物：
・70〜93.9%の基油(a)；
・5〜23.5%の増粘剤（b）；
・1〜5%のMoDTC（c）とグラファイト（d）との混合物；
・0.1〜1.5%の、リンを含有するかまたはリンおよび硫黄を含有する1つまたはいくつかの耐摩耗性および/または極圧添加剤（f）（であって、好ましくは亜鉛ジチオホスフェート）から選択される添加剤；及び
・ポリイソブテン、オレフィンコポリマー、ポリメタクリレート、ポリアルファオレフィンから選択される1つまたはいくつかのポリマー（e）（好ましくはポリイソブテンから選択される1つまたはいくつかのポリマー（e））から成る可能残部。
〔態様２１〕
態様1〜20のいずれか１態様に記載のグリース組成物の、自動車動力伝達装置の恒速度継手用グリースとしての使用。
〔態様２２〕
態様1〜20のいずれか１態様に記載のグリースを充填された恒速度継手。
【手続補正２】
【補正対象書類名】特許請求の範囲
【補正対象項目名】全文
【補正方法】変更
【補正の内容】
【特許請求の範囲】
【請求項１】
下記を含んで成るグリース組成物：
（a）単独のまたは混合物としての、1つまたはいくつかの鉱物または合成基油；
（b）増粘剤としての、1つまたはいくつかの単純または複合脂肪酸金属石鹸；
（c）少なくとも1つのモリブデンジチオカルバメート；及び
（d）グラファイト。
【請求項２】
請求項1において、モリブデン含有量が1,000〜2,800ppmであるグリース組成物。
【請求項３】
請求項1〜2のいずれか1項において、0.5〜3.0質量%のグラファイトを含んで成るグリース組成物。
【請求項４】
請求項1〜3のいずれか1項において、前記組成物中のモリブデン含有量（ppm）とグラファイトの質量パーセントとのMo／[グラファイト]比が1,250〜1,550であるグリース組成物。
【請求項５】
請求項1〜4のいずれか1項において、リンを、1,500ppm未満の含有量で含んで成るグリース組成物。
【請求項６】
請求項1〜5のいずれか1項において、亜鉛を、1,500ppm未満の含有量で含んで成るグリース組成物。
【請求項７】
請求項1〜6のいずれか1項において、MoS2固体潤滑剤を含有しないグリース組成物。
【請求項８】
請求項1〜7のいずれか1項において、ポリテトラフルオロエチレン固体潤滑剤を含有しないグリース組成物。
【請求項９】
請求項1〜8のいずれか1項において、1つまたはいくつかの単純または複合脂肪酸金属石鹸だけを、増粘剤として含んで成るグリース組成物。
【請求項１０】
請求項1〜9のいずれか1項において、単独のまたは混合物としての、少なくとも1つのリチウム、ナトリウム、カルシウム、バリウムまたはチタンの単純または複合石鹸を、増粘剤として含んで成るグリース組成物。
【請求項１１】
請求項1〜10のいずれか1項において、1つまたはいくつかの単純または複合リチウム石鹸を、増粘剤として含んで成るグリース組成物。
【請求項１２】
請求項1〜11のいずれか1項において、鉱物基油（a）、および合成基油（a）を含んで成るグリース組成物。
【請求項１３】
請求項1〜12のいずれか1項において、ポリイソブテン、オレフィンコポリマー、ポリメタクリレート、ポリアルファオレフィンから選択されるポリマー（e）をさらに含んで成るグリース組成物。
【請求項１４】
請求項1〜13のいずれか1項において、リンおよび硫黄を含有する1つまたはいくつかの耐摩耗性および/または極圧添加剤（f）をさらに含んで成るグリース組成物。
【請求項１５】
請求項14において、リン含有量が、300〜1,200ppmであるグリース組成物。
【請求項１６】
請求項14〜15のいずれか1項において、亜鉛含有量が、500〜1,400ppmであるグリース組成物。
【請求項１７】
請求項1〜16のいずれか1項において、下記を含んで成るグリース組成物：
・70〜94%の基油(a)；
・5〜25%の増粘剤（b）；及び
・1〜5%のMoDTC（c）とグラファイト（d）との混合物。
【請求項１８】
請求項1〜4または7〜13のいずれか1項において、下記を含んで成るグリース組成物：
・70〜94%の基油(a)；
・5〜25%の増粘剤（b）；
・1〜5%のMoDTC（c）とグラファイト（d）との混合物；及び
・ポリイソブテン、オレフィンコポリマー、ポリメタクリレート、およびポリアルファオレフィンから選択される1つまたはいくつかのポリマー（e）から成る可能残部。
【請求項１９】
請求項14〜17のいずれか1項において、下記を含んで成るグリース組成物：
・70〜93.9%の基油(a)；
・5〜23.5%の増粘剤（b）；
・1〜5%のMoDTC（c）とグラファイト（d）との混合物；及び
・0.1〜1.5%の、リンおよび硫黄を含有する1つまたはいくつかの耐摩耗性および/または極圧添加剤（f）から選択される添加剤。
【請求項２０】
請求項14〜17のいずれか1項において、下記を含んで成るグリース組成物：
・70〜93.9%の基油(a)；
・5〜23.5%の増粘剤（b）；
・1〜5%のMoDTC（c）とグラファイト（d）との混合物；
・0.1〜1.5%の、リンを含有するかまたはリンおよび硫黄を含有する1つまたはいくつかの耐摩耗性および/または極圧添加剤（f）から選択される添加剤；及び
・ポリイソブテン、オレフィンコポリマー、ポリメタクリレート、およびポリアルファオレフィンから選択される1つまたはいくつかのポリマー（e）から成る可能残部。
【請求項２１】
請求項1〜20のいずれか1項に記載のグリース組成物の、自動車動力伝達装置の恒速度継手用グリースとしての使用。
【請求項２２】
請求項1〜20のいずれか1項に記載のグリースを充填された恒速度継手。